(57)【特許請求の範囲】
【請求項１】
少なくとも録画開始時刻と録画終了時刻を含む放送番組の予約に用いられる予約情報の入力に基づいて予約録画設定を行う録画設定手段と、
前記録画設定手段により設定された録画開始時刻の所定時間前にチューナを起動し、前記録画開始時刻まで継続して放送波の受信状況のチェックを行う受信状況チェック手段と、
前記受信状況チェック手段により放送波の受信状況が所要の受信状況でないと判定された場合に、その旨を通知する通知手段と、
前記受信状況チェック手段により放送波の受信状況が所要の受信状況であると判定された場合に、前記放送波の受信状況が所要の受信状況であると判定された時、または前記予約情報に含まれる前記録画開始時刻が到来した時に放送番組の録画処理を開始する録画開始手段と、
チューナを停止するチューナ停止手段と、
携帯端末装置の移動を検出する移動検出手段と、を備え、
前記移動検出手段は、前記録画開始時刻経過後であって、前記録画処理が開始されるまで継続して携帯端末装置の移動を検出し、
前記受信状況チェック手段は、前記移動検出手段が前記携帯端末装置の移動を検出した場合に、前記チューナを起動して放送波の受信状況が所要の受信状況であるか否かのチェックを行い、
前記チューナ停止手段は、前記受信状況チェック手段により放送波の受信状況が所要の受信状況でないと判定された場合には前記チューナを停止し、
前記録画開始手段は、前記受信状況チェック手段により放送波の受信状況が所要の受信状況であると判定された場合には放送番組の録画処理を開始することを特徴とする携帯端末装置。
【請求項２】
前記携帯端末装置は所定周期のカウントを行うタイマをさらに備え、
前記録画開始時刻経過後であって前記録画処理が開始されるまで、前記タイマがタイムアウトした場合に、前記受信状況チェック手段は前記チューナを起動して放送波の受信状況のチェックを行い、
前記受信状況チェック手段により、放送波の受信状況が所要の受信状況でないと判定された場合、前記タイマがカウントを行う所定周期を延長する延長手段をさらに備えたことを特徴とする請求項１記載の携帯端末装置。
【請求項３】
前記受信状況チェック手段は、前記携帯端末装置が放送波から取得した制御情報を用いて放送波の受信状態のチェックを行うことを特徴とする請求項１または２記載の携帯端末装置。
【請求項４】
前記受信状況チェック手段により放送波の受信状況が所要の受信状況であると判定され前記録画処理が開始された場合、所定周期毎に受信された放送波の受信品質のチェックを行う受信品質チェック手段と、
前記受信品質チェック手段により受信品質が任意に設定された閾値以下であると判定された場合、その旨を通知するとともに、前記録画処理を中断する録画中断手段と、
前記受信品質チェック手段により受信品質が前記閾値以上であると判定された場合、前記録画処理を継続、または前記録画中断手段により中断されている場合には再開する録画管理手段とをさらに備えたことを特徴とする請求項１乃至３記載の携帯端末装置。
【請求項５】
前記受信品質チェック手段による前記受信品質のチェックは、あらかじめ前記携帯端末装置に記憶された所定時間に取得される基準データ量と、前記携帯端末装置が所定時間に実際に取得される受信データ量との比から求められた受信率に基づき行われることを特徴とする請求項４記載の携帯端末装置。
【請求項６】
前記受信品質チェック手段は、放送波に含まれる映像データの受信率および音声データの受信率を個別に取得するとともに、
前記受信品質の閾値は、映像データの受信率に関する閾値、および音声データの受信率に関する閾値が個別に任意に設定されたことを特徴とする請求項５記載の携帯端末装置。
【発明の詳細な説明】
【技術分野】
【０００１】
本発明は、予約録画機能を備えた携帯端末装置に係り、特に受信状態を把握しながら予約録画機能の制御を行う携帯端末装置に関する。
【背景技術】
【０００２】
今日、地上デジタル放送によるテレビ視聴機能を搭載した携帯電話機などの携帯端末装置が利用されている。この携帯端末装置には地上デジタル放送で受信した映像の録画機能を備えているものもあり、テレビ視聴時に携帯端末装置の内蔵メモリや外部メモリに録画する機能や、ユーザによる録画開始時間などの予約情報の設定により録画機能がタイマにより自動的に起動する予約録画機能をも備えている。
【０００３】
テレビ視聴機能や予約録画機能を備えた携帯端末装置は、小型化・軽量化が進んでいること、および外出時や移動中に使用されることから、以下のような課題があった。
【０００４】
第１の課題として、テレビ視聴機能を備えた携帯端末装置は、移動により放送局などから受信する放送波の受信状況が変動することを考慮した上で、映像データや音声データの安定した再生処理、および録画処理を実現する必要があった。
【０００５】
第２の課題として、携帯端末装置の一例である携帯電話機においては、従来の通話機能やＷｅｂ通信機能などに加えてテレビ視聴機能や録画機能の長時間の駆動を確保するためには、高容量の電力が必要であった。しかし、高容量の電力を備えた携帯端末装置は、製造コストの増加や携帯端末装置の大型化につながることになる。よって、携帯端末装置の長時間の駆動を確保するため、テレビ視聴機能や録画機能による消費電力を低減させる必要があった。
【０００６】
第３の課題として、携帯端末装置の録画機能を使用し放送番組などを録画する場合、携帯端末装置には長時間の録画を確保するだけのメモリ容量が備えられていることが望ましい。そこで、携帯端末装置に大容量の内蔵メモリや外部メモリを備えることが考えられるが、製造コストの増加や携帯端末装置の大型化につながることになる。よって、放送番組などの長時間の録画を確保するため、無駄なメモリ容量の消費を回避する必要があった。
【０００７】
これらの課題を解決するため、予約録画機能による録画開始前に、放送番組の受信品質を測定し、安定して録画できるか否かをユーザに通知することで、受信品質の劣る映像データおよび音声データの無駄な録画による電池やメモリの消費を防止する携帯端末装置が知られている（特許文献１参照）。
【０００８】
また、予約録画機能により映像や音声の録画処理を行っている場合であって、電界強度で判断される受信品質が低下した場合に、録画処理を停止しその旨をユーザに通知することで無駄な録画処理によるメモリ容量や消費電力をなくす携帯無線端末などが知られている（特許文献２参照）。
【特許文献１】特開２００７−７４５８２号公報
【特許文献２】特開２００６−８６６６７号公報
【発明の開示】
【発明が解決しようとする課題】
【０００９】
特許文献１に示す発明は、録画処理を行う放送番組に関する受信品質を測定し、受信品質が低下した場合にはその旨を通知するのみで、仮に通知後に受信品質が改善したとしても録画処理を希望する放送番組の録画処理を行うことはできなかった。さらに、受信品質の測定に伴う消費電力量については考慮されていなかった。
【００１０】
また、特許文献２に示す発明は、予約開始時刻前の放送波の受信品質については考慮されていなかった。また録画処理実行中においては、ユーザが録画処理を希望する放送番組ごとに適当な録画品質を要求する場合であっても、十分にユーザの意図を反映させることができなかった。
【００１１】
本発明はこのような事情を考慮してなされたもので、録画開始前または録画中において放送波の受信状態を把握し、この受信状態に応じて効率よく予約録画機能を制御することでメモリ消費量および消費電力量を抑制する携帯端末装置を提供することを目的とする。
【課題を解決するための手段】
【００１２】
本発明に係る携帯端末装置は、上述した課題を解決するために、少なくとも録画開始時刻と録画終了時刻を含む放送番組の予約に用いられる予約情報の入力に基づいて予約録画設定を行う録画設定手段と、前記録画設定手段により設定された録画開始時刻の所定時間前にチューナを起動し、前記録画開始時刻まで継続して放送波の受信状況のチェックを行う受信状況チェック手段と、前記受信状況チェック手段により放送波の受信状況が所要の受信状況でないと判定された場合に、その旨を通知する通知手段と、前記受信状況チェック手段により放送波の受信状況が所要の受信状況であると判定された場合に、放送番組の録画処理を開始する録画開始手段とを備えたことを特徴とする。
【００１３】
また、本発明に係る携帯端末装置は、上述した課題を解決するために、前記携帯端末装置は、前記録画開始時刻経過後であって、前記録画処理が開始されるまで継続して携帯端末装置の移動を検出する移動検出手段、および所定周期のカウントを行うタイマの少なくとも一方をさらに備え、前記移動検出手段が前記携帯端末装置の移動を検出した場合、または前記タイマがタイムアウトした場合に、前記受信状況チェック手段は前記チューナを起動して放送波の受信状況のチェックを行い、放送波の受信状況が所要の受信状況でないと判定された場合には前記チューナを停止し、放送波の受信状況が所要の受信状況であると判定された場合には前記録画開始手段により放送番組の録画処理を開始することを特徴とする。
【００１４】
また、本発明に係る携帯端末装置は、上述した課題を解決するために、前記受信状況チェック手段により放送波の受信状況が所要の受信状況であると判定され前記録画処理が開始された場合、所定周期毎に受信された放送波の受信品質のチェックを行う受信品質チェック手段と、前記受信品質チェック手段により受信品質が任意に設定された閾値以下であると判定された場合、その旨を通知するとともに、前記録画処理を中断する録画中断手段と、前記受信品質チェック手段により受信品質が前記閾値以上であると判定された場合、前記録画処理を継続、または前記録画中断手段により中断されている場合には再開する録画管理手段とをさらに備えたことを特徴とする。
【発明の効果】
【００１５】
本発明に係る携帯端末装置は、録画開始前または録画中において放送波の受信状態を把握し、この受信状態に応じて効率よく予約録画機能を制御することでメモリ消費量および消費電力量を抑制することができる。
【発明を実施するための最良の形態】
【００１６】
本発明に係る携帯端末装置の実施形態を添付図面に基づいて説明する。
【００１７】
図１は、本発明に係る携帯端末装置を携帯電話機１に適用した場合の概略的なブロック構成図である。本実施形態における携帯電話機１は、地上デジタル放送の放送波を受信することで放送番組の視聴が可能な番組視聴機能を備え、かつユーザからの予約情報の入力を受け付けることにより放送番組を予約録画する予約録画機能を備えた携帯電話機１について説明する。
【００１８】
携帯電話機１には、番組視聴機能および予約録画機能を実現するフロントエンド（前処理）部２およびバックエンド（後処理）部３が設けられる。
【００１９】
フロントエンド（前処理）部２は、チューナ５およびＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直行周波数分割多重）復調部６からなる。チューナ５は、図示しない地上デジタル放送局からアンテナ７を介して指定された周波数の信号を選局し、ＴＳ（Ｔｒａｎｓｐｏｒｔ  Ｓｔｒｅａｍ）を抽出する。ＴＳは、いくつかの個々に符号化された映像データや音声データのストリームであるＥＳ（Ｅｌｅｍｅｎｔａｒｙ  Ｓｔｒｅａｍ）などを、ＴＳパケットと呼ばれる伝送単位で時分割多重したものである。
【００２０】
抽出されたＴＳは、ＯＦＤＭ復調部６にて符号復調処理や、誤り訂正の処理、フレームの再構成などの処理が行われる。
【００２１】
図２（Ａ）は、ＴＳパケット１１のデータ構造を説明する図である。ＴＳパケット１１は、１８８バイトの固定長パケットで、ＴＳパケット１１が連続したストリームがＴＳ１０である。ＴＳパケット１１は、ヘッダ１２、アダプテーション・フィールド１３及びペイロード１４からなる。ヘッダ１２は、アダプテーション・フィールド１３の有無などのＴＳパケット１１に関する情報が記述されている。
【００２２】
アダプテーション・フィールド１３は、各ＴＳ１０に関する付加情報や無効データが格納される部分で、ＴＳパケット１１により領域が存在する場合としない場合がある。
【００２３】
ペイロード１４は、ＥＳがパケット化されたＰＥＳ（Ｐａｃｋｅｔｉｚｅｄ  Ｅｌｅｍｅｎｔａｒｙ  Ｓｔｒｅａｍ）パケットやセクション形式の制御情報が埋め込まれる。
【００２４】
図２（Ｂ）は、ＴＳパケット１１のペイロード１４におけるセクション形式の制御情報の構造を概念的に説明する図である。これらのセクション形式の制御情報は、ＰＳＩ（Ｐｒｏｇｒａｍ  Ｓｐｅｃｉｆｉｃ  Ｉｎｆｏｒｍａｔｉｏｎ）と呼ばれ、ＴＳデコーダ２０でＴＳ１０の処理が行われる際に必要となるＮＩＴ１５やＰＭＴ１６などのいくつかの種類の情報が規定されている。
【００２５】
ＮＩＴ（Ｎｅｔｗｏｒｋ  Ｉｎｆｏｒｍａｔｉｏｎ  Ｔａｂｌｅ）１５は、伝送路における物理的構成に関する情報や、ネットワーク自身の特性を記述したテーブルである。携帯電話機１は、ＮＩＴ１５に記述されたネットワークＩＤにより現在受信中の信号がどのネットワークのものか、また受信、再生可能なものかを判断する。
【００２６】
ＰＭＴ（Ｐｒｏｇｒａｍ  Ｍａｐ  Ｔａｂｌｅ）１６は、チャンネルを構成する映像、音声、データなどのストリームを伝送するＴＳパケット１１を特定するためのテーブルである。ＰＭＴ１６はチャンネルごとに存在し、そのチャンネルを構成する各ストリームのパケット識別子であるＰＩＤ（Ｐａｃｋｅｔ  Ｉｄｅｎｔｉｆｉｅｒ）などが指定されることにより、同じＰＩＤのペイロード１４から復元される映像・音声などのデコードが可能となる。
【００２７】
ＮＩＴ１５およびＰＭＴ１６は、放送番組のＰＥＳをデコードするために必要な情報であり、本実施形態においては、ＮＩＴ１５およびＰＭＴ１６を制御情報として用いて受信状況の判定を行う。
【００２８】
バックエンド（後処理）部３は、フロントエンド部２から出力されたＴＳ１０の処理を行う。ＴＳデコーダ２０は、映像のＥＳや音声のＥＳなど複数のストリームが多重化されたＴＳ１０から、必要なストリームを取り出す処理を行う。
【００２９】
映像デコーダ２１は、ＴＳデコーダ２０から出力されたＨ．２６４／ＡＶＣ方式で符号化された映像のＥＳを復号し、映像信号を表示処理部２２に出力する。複号化された映像信号は表示処理部２２に出力された後、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、有機ＥＬ（ＥｌｅｃｔｒｏＬｕｍｉｎｅｓｃｅｎｃｅ）ディスプレイ、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）などからなるディスプレイ２３に表示される。
【００３０】
音声デコーダ２４は、ＴＳデコーダ２０から出力されたＭＰＥＧ−２  ＡＡＣ方式（Ａｄｖａｎｃｅｄ  Ａｕｄｉｏ  Ｃｏｄｉｎｇ、高能率オーディオ符号化方式）で符号化された音声のＥＳを復号し、スピーカ・イヤホン２５などに出力する。
【００３１】
また、バックエンド部３には、制御部３０、メモリ３１、外部メモリインタフェース（Ｉ／Ｆ）３４および外部メモリ３５が設けられている。制御部３０は、ＣＰＵ（ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなり、ＣＰＵは、ＲＯＭに記憶されているプログラムまたはメモリ３１からＲＡＭにロードされた各種のアプリケーションプログラムに従って各種の処理を実行する。また、種々の制御信号を生成し、各部に供給することにより携帯電話機１を統括的に制御する。ＲＡＭは、ＣＰＵが各種の処理を実行する上において必要なデータなどを適宜記憶する。なお、制御部３０には、現在の日付と時刻を正確に計測するタイマが内蔵されている。
【００３２】
メモリ３１は、フラッシュメモリ素子やＨＤＤ（Ｈａｒｄ  Ｄｉｓｃ  Ｄｒｉｖｅ）で構成され、録画機能により録画処理が実行された放送番組の映像データおよび音声データなどの種々のデータが格納される。
【００３３】
外部メモリインタフェース（Ｉ／Ｆ）３４は、メモリカードなどの外部メモリ３５を着脱することが可能なスロットを備えている。また、外部メモリ３５は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。
【００３４】
また携帯電話機１には、タイマ処理部３２、キー３３および加速度センサ３６が設けられている。
【００３５】
タイマ処理部３２は、種々の処理が実行される際に必要なタイマ処理を行う。本実施形態においては、録画開始前の受信状況判定処理において所定周期をカウントする次起動タイマＴ１、および録画処理実行中の受信率チェック処理において所定周期をカウントするタイマＴ２を機能させる。
【００３６】
キー３３は、ユーザが携帯電話機１に対する各種指示を入力する際に用いられる。本実施形態においては、予約録画機能を実現するための予約情報の入力を受け付ける際に用いられる。
【００３７】
加速度センサ３６は、前後、左右、上下という互いに直交する３軸方向に対する加速度の変化を感知するセンサである。加速度センサ３６は、本実施形態においては移動検出手段として機能する。また、加速度センサ３６による加速度の変化の測定は３軸方向のみならず、２軸方向、１軸方向であってもよい。
【００３８】
次に、携帯電話機１の予約録画機能について説明する。
【００３９】
予約録画機能は、ユーザからの図３の予約情報入力インタフェースを介した予約情報の入力を受け付けることによりメモリ３１に格納された予約情報を元に、制御部３０の制御に基づき機能する。後述する受信状況判定処理における録画開始ステップにおいて、制御部３０は、ＴＳデコーダ２０から取得された映像データ及び音声データをメモリ３１のＨＤＤや外部メモリ３５などに格納することで所定の放送番組の録画処理を実行する。なお、メモリ３１に格納された録画された放送番組は、ユーザからのキー３３を介した指示の入力に基づいて、映像データについては映像デコーダ２１、表示処理部２２で順次復号処理などが行われ、ディスプレイ２３などに出力される。また音声データも同様にユーザからのキー３３を介した指示の入力に基づいて音声デコーダ２４で復号処理が行われ、スピーカ・イヤホン２５から出力される。
【００４０】
図３は、携帯電話機１のディスプレイ２３に表示され、ユーザからの予約情報の入力を受け付ける予約情報入力インタフェースである。
【００４１】
この予約情報入力インタフェースは、予約情報の一例である録画処理の開始時間４０、終了時間４１、チャンネル（ＣＨ）４２、限界受信率（映像）４３、限界受信率（音声）４４、録画した放送番組の保存先４５、番組名４６および放送局名４７の各入力欄が設けられる。これらの予約情報は、携帯電話機１がキー３３を介したユーザからの入力を受け付けた後、メモリ３１に格納される。これらの予約情報は、例えば録画開始時間およびチャンネル（ＣＨ）を入力することにより、あらかじめアンテナ７より取得された番組情報に基づき、他の予約情報が自動的に入力されるように構成することもできる。
【００４２】
ここで、限界受信率は、放送番組の録画処理実行中などに計測される映像及び音声データの受信率における録画処理の継続を判定するための閾値である。測定された受信率が限界受信率以上の場合には録画処理を継続または再開し、受信率が限界受信率以下の場合には録画処理を中断する。
【００４３】
なお、受信率は、所定時間当たりの基準ビットレートから計算された既知の理論データ量である映像および音声の基準データ量と、所定時間当たりに実際に受信した映像および音声のＥＳ受信データ量との比から求められる値で、受信品質を示す値である。  
［数１］
受信率＝受信データ量／基準データ量
【００４４】
また、受信率が高いほど映像および音声の受信品質は高くなり、受信率が低いほど映像および音声の受信品質は低くなる。
【００４５】
例えば、変調方式をＱＰＳＫ（Ｑｕａｄｒａｔｕｒｅ  Ｐｈａｓｅ  Ｓｈｉｆｔ  Ｋｅｙｉｎｇ、４相位相偏移変調）方式を採用した場合の一例として、放送伝送速度が約３１２ｋｂｓである場合、映像データの伝送速度については約１２８〜１８０ｋｂｓ、音声データの伝送速度については約４８〜６４ｋｂｐｓとなる。本実施形態における受信率は、この映像データおよび音声データの伝送速度から所定時間あたりの基準データ量を求めることで得られる。
【００４６】
受信率を測定する所定時間については、例えば３秒程度に設定することで、携帯電話機１の移動に伴う受信率の変化に即座に対応することができる。また、所定時間をより長めの１０秒程度に設定することで、受信率の測定回数の低減に伴い消費電力についても低減することができる。
【００４７】
限界受信率は、映像の限界受信率を「５０％」、音声の限界受信率を「３０％」とするなど、映像の限界受信率および音声の限界受信率についてそれぞれユーザが任意に設定することができる。例えば、録画処理を行うテレビ番組がユーザにとって見逃しを回避したいドラマであって、多少品質が悪くても録画処理を希望する場合、映像、音声共に限界受信率を「設定しない」に設定することで、放送時間中は受信品質によらず録画状態を継続することができる。
【００４８】
一方、例えばニュース番組については、音声のみの録画でも希望する場合が考えられるため、映像限界受信率を「５０％」、音声限界受信率を「設定しない」に設定することで、少なくとも音声の録音状態を確保することができる。
【００４９】
つまり、録画処理に伴うメモリ３１や外部メモリ３５のメモリ容量の消費を抑制したい場合には、限界受信率を高めに設定することで受信率の低い映像または音声の録画を回避することができる。これに伴い受信率が低く、受信品質の劣る映像または音声の録画を回避でき、メモリ３１や外部メモリ３５の消費を抑制することができる
次に、携帯電話機１により実現される予約録画機能に実行される処理について説明する。携帯電話機１の予約録画機能は、録画処理開始前の受信状況判定処理、および録画処理実行中の受信率チェック処理を実行する。
【００５０】
図４を用いて録画開始時刻前の受信状況判定処理について説明する。
【００５１】
受信状況判定処理は、あらかじめユーザにより図３に示す予約情報入力インタフェースを介して入力された予約情報に基づき、録画開始時刻Ｎ秒前に開始される。
【００５２】
ステップＳ１において、制御部３０は録画開始時刻Ｎ秒前にチューナ５を起動させる。受信状況判定処理を開始する時間は、受信状況判定処理に要する時間が確保されていればよく、おおむね３０秒程度が好ましい。
【００５３】
ステップＳ２において、ＴＳデコーダ２０は、録画処理を実行するチャンネル（番組）の受信状況チェックを行う。ＴＳデコーダ２０は、地上デジタル放送局（図示せず）からアンテナ７を介して受信し、ＯＦＤＭ復調部６で符号復調処理などが行われたＴＳ１０から、図２（Ｂ）に示す制御情報であるＮＩＴ１５やＰＭＴ１６が取得できたか否かをチェックする。
【００５４】
ステップＳ３において、制御部３０は、ＴＳデコーダ２０が制御情報を取得できたと判定する場合、ステップＳ４において、所定の放送番組の録画処理を開始し、受信状況判定処理は終了する。
【００５５】
一方、判定ステップＳ３において、制御部３０は、ＴＳデコーダ２０が制御情報を取得できていないと判定する場合、つまり携帯電話機１が放送波を受信できていない場合、ステップＳ５において、ユーザに放送波を受信できていないため受信状況が良好な場所への移動を促す旨を通知する。ユーザへの通知は、ディスプレイ２３にポップアップ表示をするほか、音、バイブレーションおよびＬＥＤなどの通知手段を用いて行う。ユーザは、これらの通知により携帯電話機１の放送波の受信状況が悪いことを認識することができ、放送波の受信状況が良好な場所に移動するなどの措置をとることができる。
【００５６】
通知ステップＳ５において制御部３０がユーザへの通知を行った後、受信状況判定処理は受信状況チェックステップＳ２に戻る。受信状況判定処理は、判定ステップＳ３で制御情報が取得できていないと判定された場合には、ステップＳ５、Ｓ２およびＳ３の処理が順次繰り返し行われ、受信状況判定処理は録画開始時刻となった場合に終了する。
【００５７】
なお、受信状況チェックステップＳ２および判定ステップＳ３において受信状況の判定に用いられる情報は、ＴＳに含まれる制御情報のみならず、チューナ５から得られる放送波のＣ／Ｎ（Ｃａｒｒｉｅｒ  ｔｏ  Ｎｏｉｓｅ  ｒａｔｉｏ、信号対雑音比）情報などを用いて行ってもよい。この場合にはあらかじめ所定のＣ／Ｎ情報の閾値を設定しておき、閾値以上の場合には録画処理を開始するように受信状況判定処理が行われる。また、録画開始ステップＳ４で録画処理が開始される時刻は、ＴＳデコーダ２０が制御情報を取得できたと判定後の録画開始時刻前であってもよいし、録画開始時刻が到来した時であってもよい。
【００５８】
ここで、録画開始時刻となっても制御情報が取得できず、受信状況判定処理が終了した場合に行われる録画開始時刻後の受信状況判定処理について、図５を用いて説明する。
【００５９】
この受信状況判定処理は、タイマ処理部３２および加速度センサ３６を用いてチューナ５を間欠動作させながら受信状況判定処理を行う。チューナ５を間欠動作させながら受信状況判定処理を行うことにより、携帯電話機１の電力消費量を抑制することができる点で有効である。
【００６０】
ステップＳ１１において、制御部３０は、タイマ処理部３２で次起動タイマＴ１を起動し、かつ加速度センサ３６を起動する。次起動タイマＴ１は、例えば１０秒などの所定周期をカウントする。
【００６１】
ステップＳ１２において、制御部３０は次起動タイマＴ１がタイムアウトしたか、または加速度センサ３６が携帯電話機１の移動を検出したかの判定を行う。判定ステップＳ１２において制御部３０は次起動タイマＴ１のタイムアウトおよび加速度センサ３６の携帯電話機１の移動の検知のどちらも行われていないと判定した場合、次起動タイマＴ１のタイムアウトまたは加速度センサ３６の携帯電話機１の移動の検知が行われたと判定するまで処理は待機する。
【００６２】
一方、判定ステップＳ１２において、制御部３０は次起動タイマＴ１がタイムアウトしたか、加速度センサ３６の携帯電話機１の移動の検知がされたと判定した場合、ステップＳ１３において、次起動タイマＴ１をリセットし、かつ加速度センサ３６を停止した後、チューナ５を起動し地上デジタル放送局からの放送波の受信を開始する。なお、次起動タイマＴ１および加速度センサ３６は、リセットおよび停止せず継続してカウントおよび検知を行ってもよい。次起動タイマＴ１をリセットし、かつ加速度センサ３６を停止した場合には、消費電力量の低減を図ることができる点で有効である。
【００６３】
ステップＳ１４において、制御部３０の制御により、ＴＳデコーダ２０は録画処理を実行するチャンネル（番組）の受信状況チェックを行う。地上デジタル放送局（図示せず）からアンテナ７を介して受信し、ＯＦＤＭ復調部６で符号復調処理などが行われたＴＳ１０から、図２（Ｂ）に示す制御情報であるＮＩＴ１５やＰＭＴ１６が取得できたか否かをチェックする。
【００６４】
ステップＳ１５において、制御部３０は、ＴＳデコーダ２０が制御情報を取得できたと判定する場合、ステップＳ１６において、所定の放送番組の録画処理を開始し、受信状況判定処理は終了する。
【００６５】
一方、判定ステップＳ１５において、制御部３０は、ＴＳデコーダ２０が制御情報を取得できていないと判定する場合、つまり携帯電話機１が放送波を受信できていない場合、ステップＳ１７において、チューナを停止し、ユーザに放送波を受信できていないため受信状況が良好な場所への移動を促す旨を通知する。ユーザへの通知は、ディスプレイ２３にポップアップ表示をするほか、音、バイブレーションおよびＬＥＤなどの通知手段を用いて行う。
【００６６】
通知ステップＳ１７において制御部３０がユーザへの通知を行った後、受信状況判定処理は次起動タイマＴ１および加速度センサ起動ステップＳ１１に戻り、再びステップＳ１１以降の処理を行う。なお、チューナ起動ステップＳ１３において、次起動タイマＴ１および加速度センサ３６は、リセットおよび停止せず継続してカウントおよび検知を行った場合には、判定ステップＳ１２に戻る。
【００６７】
受信状況判定処理は、判定ステップＳ１５で制御情報が取得できていないと判定された場合には、ステップＳ１７、Ｓ１１およびＳ１２以降の処理がチューナ５を間欠動作させながら順次繰り返し行われ、受信状況判定処理は録画終了時刻となった場合に終了する。
【００６８】
この携帯電話機１によれば、録画開始時刻前には放送波の受信状況が十分でない場合においてユーザに対しその旨の通知を行い、通知後も録画開始時刻まで継続して受信状況判定処理を行い、かつ録画開始時刻後においてはチューナ５を間欠動作させながら受信状況判定処理を行うため、消費電力を抑制することができ、受信状況の効率的な把握を行うことができる。
【００６９】
また、録画開始時刻後の受信状況判定処理においては、携帯電話機１の移動の有無または次起動タイマＴ１のタイムアウトによってチューナ５の間欠動作を制御するため、受信状況の改善が望めない状況におけるチューナ５の無駄な起動を抑制することができるため、消費電力を抑制することができる。
【００７０】
さらに、録画開始時刻までは継続して受信状況判定処理を行い、録画終了時刻までは間欠動作により受信状況判定処理を行うため、予約録画設定をしてまで視聴を希望するユーザのニーズにより答えることができる。
【００７１】
なお、チューナ５の間欠動作の制御は、加速度センサ３６を用いて携帯電話機１の移動を検出することにより行ったが、これに限らずＧＰＳ機能や、基地局情報などによって携帯電話機１の移動を検出するなど、携帯電話機１の受信状況の改善が見込めるか否かの判定が可能な他の手段を用いてもよい。
【００７２】
また、チューナの間欠動作の制御は、次起動タイマＴ１のタイムアウト時および加速度センサ３６を用いた携帯電話機１の移動を検出することにより行ったが、どちらか一方のみを用いて行ってもよい。
【００７３】
さらに、判定ステップＳ１５において、制御部３０は、制御情報を取得できないとの判定が繰り返し行われ受信状況の改善が見込めない場合、次起動タイマＴ１のカウント周期を延長してもよい。これにより、チューナ５の間欠動作の間隔が延長されるため、チューナ５の起動時間を低減することができ、効率的に消費電力の低減を実現することができる。
【００７４】
次に、録画開始後の受信率チェック処理について図６を用いて説明する。この受信率チェック処理は、図４の受信状況判定処理における録画開始ステップＳ４、および図５の録画開始時刻後の受信状況判定処理における録画開始ステップＳ１６の後に開始される。なお、受信率チェック処理は、ＴＳデコーダ２０にて行われるものとする。
【００７５】
ステップＳ２１において、ＴＳデコーダ２０は、タイマ処理部３２でタイマＴ２を起動する。タイマＴ２は、例えば１０秒などの所定周期をカウントする。
【００７６】
ステップＳ２２において、ＴＳデコーダ２０は、タイマＴ２がタイムアウトするまでの所定時間の受信データ量を測定する。受信データは、映像データ及び音声データのそれぞれについて測定される。ステップＳ２３において、ＴＳデコーダ２０は、タイマＴ２がタイムアウトした後、タイマＴ２をリセットする。
【００７７】
ステップＳ２４で、ＴＳデコーダ２０は、受信データ量測定ステップＳ２２で得られた受信データ量と所定時間当たりの基準ビットレートから計算された既知の理論データ量である映像および音声の基準データ量から受信率の計算を行う。受信率は、所定時間当たりの基準ビットレートから計算された映像および音声の基準データ量と、所定時間当たりに実際に受信した映像および音声のＥＳ受信データ量との比から求められる値である。また、受信率は、映像データ、音声データのそれぞれについて求められる。
【００７８】
ステップＳ２５において、ＴＳデコーダ２０は、受信率計算ステップＳ２４で得られた映像データおよび音声データの受信率を、制御部３０に通知する。
【００７９】
受信率通知ステップＳ２５おいて制御部３０に対し受信率の通知を行ったＴＳデコーダ２０は、タイマＴ２起動ステップＳ２１に戻り、再びタイマ処理部３２でタイマＴ２を起動させ、ステップＳ２２以降の処理が繰り返される。
【００８０】
ＴＳデコーダ２０による受信率チェック処理は繰り返し行われ、制御部３０のタイマを参照し録画終了時刻となった場合に処理は終了する。
【００８１】
一方、受信率を取得した制御部３０は、受信率の値に基づき録画中断処理を行う。図７は、ＴＳデコーダ２０より受信率の通知を受けた制御部３０で行われる録画中断処理を説明するフローチャートである。
【００８２】
ステップＳ３１において、制御部３０は、ＴＳデコーダ２０からの受信率の通知により映像データおよび音声データの受信率を取得する。
【００８３】
ステップＳ３２において、制御部３０は受信率と限界受信率の比較を行う。制御部３０は、受信率が限界受信率より大きいと判定した場合には、録画処理を継続するだけの所要の受信品質が得られているため、録画中断処理は終了する。
【００８４】
このとき、すでに後述する録画中断ステップＳ３５で録画処理が中断されている場合には、ステップＳ３３において、制御部３０は録画処理を再開し、録画中断処理は終了する。
【００８５】
一方、制御部３０は受信率が限界受信率よりも小さいと判定した場合、ステップＳ３４において、受信率が限界受信率よりも低下している旨、および録画処理を中断する旨をユーザに対し通知する。ユーザに対する通知は、ディスプレイ２３に受信率が限界受信率より小さい旨をポップアップ表示したり、音、バイブレーションおよびＬＥＤなどの通知手段を用いたりして行う。ユーザは、これらの通知により携帯電話機１の受信率が限界受信率以上となるための所要の受信データが受信されていないことを認識することにより、受信状況の良好な場所に移動するなどの措置をとることができる。
【００８６】
ステップＳ３５において、制御部３０は録画処理を中断し、録画中断処理は終了する。なお、録画処理の中断は、受信率取得ステップＳ３１において、制御部３０がＴＳデコーダ２０から取得する受信率が限界受信率よりも大きいと判定するまで継続される。
【００８７】
この携帯電話機１によれば、録画処理実行中においてはユーザにより設定された限界受信率に基づき録画処理を制御することにより、ユーザの要求に応えることができるうえ、不必要な録画処理に伴う無駄なメモリ容量および消費電力量を抑制することができる。また、映像データおよび音声データのそれぞれの受信率を限界受信率と比較することで、より必要なデータのみを録画することができ、メモリ容量および消費電力量をさらに抑制することができる。
【００８８】
なお、映像データおよび音声データの両方の受信率を受信品質の判定に用いたが、どちらか一方のみを用いてもよいし、ＥＳ全体の受信率で判定してもよい。
【００８９】
よって、この携帯電話機によれば、録画開始前および録画処理実行中を通して受信状況および受信品質をチェックし録画機能を制御することで、効率的に消費電力量およびメモリ容量の消費の抑制を行うことができる。さらには、映像データおよび音声データの受信状況を個別に判定することで、放送番組やメモリ容量に応じたユーザの録画品質に対する要求を実現することができる。
【００９０】
また、録画開始前についてはＮＩＴおよびＰＭＴからなる制御情報を録画開始の判定条件に用い、録画開始後においては、ユーザが任意に設定することができる受信率を用いたことで、放送番組の録画品質が低品質であっても録画を行いたいなどのユーザの個々の要求をより反映させることができる。
【００９１】
なお、本実施形態においては携帯端末装置の一例として、地上デジタル放送を受信可能な携帯電話機に適用して説明したが、これに限らずアナログ放送やラジオ放送（例えば、地上デジタル音声放送）を受信可能な受信装置や、ネットワークを介して映像音声を受信可能な携帯端末装置であってもよい。
【００９２】
さらに、受信状況の判定を、録画開始前においてはＮＩＴおよびＰＭＴからなる制御情報を用い、録画処理実行中においては受信率を用いたが、電界強度やビット誤り率、パケット誤り率など他の受信状況及び受信率の判定が可能な値を用いてもよい。
【００９３】
なお、本発明は携帯電話機以外にも、ＰＤＡ（Ｐｅｒｓｏｎａｌ  Ｄｉｇｉｔａｌ  Ａｓｓｉｓｔａｎｔ）、パーソナルコンピュータ、携帯型ゲーム機、携帯型音楽再生機、携帯型動画再生機、車載用ナビゲーションシステム、その他の携帯端末装置にも適用することができる。
【００９４】
また、本発明の実施形態において説明した一連の処理は、ソフトウェアにより実行させることもできるが、ハードウェアにより実行させることもできる。
【００９５】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００９６】
【図１】本発明に係る携帯端末装置を携帯電話機に適用した場合の概略的なブロック構成図。
【図２】チューナが地上デジタル放送基地局から受信した放送波のデータ構造図。
【図３】予約設定の入力を受け付ける予約情報入力インタフェースを示した図。
【図４】録画開始時刻前の受信状況判定処理を説明するフローチャート。
【図５】録画開始時刻後の受信状況判定処理を説明するフローチャート。
【図６】録画開始後に行われる受信率チェック処理を説明するフローチャート。
【図７】受信率低下時に行われる録画中断処理を説明するフローチャート。
【符号の説明】
【００９７】
１  携帯電話機
２  フロントエンド（前処理）部
３  バックエンド（後処理）部
５  チューナ
６  ＯＦＤＭ復調部
７  アンテナ
１０  ＴＳ（Ｔｒａｎｓｐｏｒｔ  Ｓｔｒｅａｍ）
１１  ＴＳパケット
１５  ＮＩＴ（Ｎｅｔｗｏｒｋ  Ｉｎｆｏｒｍａｔｉｏｎ  Ｔａｂｌｅ）
１６  ＰＭＴ（Ｐｒｏｇｒａｍ  Ｍａｐ  Ｔａｂｌｅ）
２０  ＴＳデコーダ
２１  映像デコーダ
２３  ディスプレイ
２４  音声デコーダ
２５  スピーカ・イヤホン
３０  制御部
３１  メモリ
３２  タイマ処理部
３３  キー
３４  外部メモリインタフェース（Ｉ／Ｆ）
３５  外部メモリ
３６  加速度センサ
【図１】
0005211672.tif 000002
【図２】
0005211672.tif 000003
【図３】
0005211672.tif 000004
【図４】
0005211672.tif 000005
【図５】
0005211672.tif 000006
【図６】
0005211672.tif 000007
【図７】
0005211672.tif 000008